(57)【特許請求の範囲】
【請求項１】
エキスパンド格子に活物質を充填した正極板と負極板とをセパレータを介して交互に積層してなる極板群を有する鉛蓄電池であって、
前記極板群の積層方向の端部に位置する極板のエキスパンド格子におけるノード部の厚さが、前記極板群のその他の部分に位置する極板のエキスパンド格子におけるノード部の厚さより小であり、
該極板群の積層方向の端部に位置する前記極板の前記エキスパンド格子に対する前記活物質は、前記極板群のその他の部分に位置する前記極板の前記エキスパンド格子に対する前記活物質より薄く充填されている鉛蓄電池。
【請求項２】
エキスパンド格子に活物質を充填した正極板と負極板とをセパレータを介して交互に積層してなる極板群を有する鉛蓄電池の製造方法であって、
前記極板群の積層方向の端部に位置する極板のエキスパンド格子は前記活物質を充填する前にプレスしてそのノード部の厚さを、前記極板群のその他の部分に位置する極板のエキスパンド格子におけるノード部の厚さより小とし、
該極板群の積層方向の端部に位置する前記極板の前記エキスパンド格子に対する前記活物質を、前記極板群のその他の部分に位置する前記極板の前記エキスパンド格子に対する前記活物質より薄く充填し、
これらの極板よりなる極板群を用いる鉛蓄電池の製造方法。
【発明の詳細な説明】
【０００１】
【発明の属する技術分野】
本発明は、鉛蓄電池及びその製造方法に関するものである。
【０００２】
【従来の技術】
従来の鉛蓄電池は、図３（Ａ）（Ｂ）に示すようにノード部１が厚くなっているエキスパンド格子２を使用し、このエキスパンド格子２に図４に示すように活物質３を充填した厚さが同じ正極板４と負極板５とを使用し、負極板５の両面をＵ字状にしたセパレータ６で覆った状態で交互に積層して極板群７を形成し、この極板群７を電槽内に電解液と共に収容した構造であった。
【０００３】
【発明が解決しようとする課題】
しかしながら、このようにエキスパンド格子２に活物質３を充填した後の極板厚さが同じ極板４，５を使用した鉛蓄電池では、極板群７の積層方向の端部に位置する負極板５はその内側にしか正極板４が存在しないので、極板反応対向面積当たりの活物質の利用率が、図４に示す極板群７の積層方向の端部に位置する負極板５だけ低いという問題点があった。即ち、図４で極板群７の積層方向の端部に位置する負極板５は白い部分３ａの活物質３が利用され、黒い部分３ｂの活物質３は利用されず、利用率が低いという問題点があった。
【０００４】
本発明の目的は、活物質の利用率を向上させることができる鉛蓄電池を得ることにある。
【０００５】
【課題を解決するための手段】
本発明は、エキスパンド格子に活物質を充填した極板群を有する鉛蓄電池を対象としている。
【０００６】
本発明に係る鉛蓄電池では、極板群の積層方向の端部に位置する極板のエキスパンド格子におけるノード部の厚さが、極板群のその他の部分に位置する極板のエキスパンド格子におけるノード部の厚さより小であり、
該極板群の積層方向の端部に位置する極板のエキスパンド格子に対する活物質は、極板群のその他の部分に位置する極板のエキスパンド格子に対する活物質より薄く充填されている。
【０００７】
このような鉛蓄電池では、極板群の積層方向の端部に位置する極板のエキスパンド格子におけるノード部の厚さを、極板群のその他の部分に位置する極板のエキスパンド格子におけるノード部の厚さより小とし、該極板群の積層方向の端部に位置する極板のエキスパンド格子に対する活物質を、極板群のその他の部分に位置する極板のエキスパンド格子に対する活物質より薄く充填しているので、極板群の積層方向の端部に位置する極板の活物質充填量が減り、活物質利用率を向上させることができる。
【０００８】
また本発明は、エキスパンド格子に活物質を充填した正極板と負極板とをセパレータを介して交互に積層してなる極板群を有する鉛蓄電池の製造方法を対象とする。
【０００９】
本発明に係る鉛蓄電池の製造方法では、
極板群の積層方向の端部に位置する極板のエキスパンド格子は活物質を充填する前にプレスしてそのノード部の厚さを、極板群のその他の部分に位置する極板のエキスパンド格子におけるノード部の厚さより小とし、
該極板群の積層方向の端部に位置する極板のエキスパンド格子に対する活物質を、極板群のその他の部分に位置する極板のエキスパンド格子に対する活物質より薄く充填し、
これらの極板よりなる極板群を用いる。
【００１０】
このような鉛蓄電池の製造方法では、極板群の積層方向の端部に位置する極板のエキスパンド格子を、活物質の充填工程の前で段替えを行い、プレスしてノード部を現状より薄くして、活物質の充填量を減らし、充填後の極板を薄くして極板群の積層方向の端部に位置させるので、活物質の利用率のよい極板を容易に製造して鉛蓄電池を製造することができる。
【００１１】
【発明の実施の形態】
図１（Ａ）（Ｂ）及び図２は本発明に係る鉛蓄電池の実施の形態の一例を示したもので、図１（Ａ）（Ｂ）は本例の鉛蓄電池で用いるエキスパンド格子の正面図及び縦断面図、図２は本例の鉛蓄電池で用いる極板群の概略構成を示す側面図である。
【００１２】
本例の鉛蓄電池では、極板群７の積層方向の端部に位置する極板（負極板）５のエキスパンド格子２におけるノード部１の厚さが、極板群７のその他の部分に位置する極板４，５のエキスパンド格子２におけるノード部１の厚さより小となっている。該極板群７の積層方向の端部に位置する極板５のエキスパンド格子２に対する活物質３は、極板群７のその他の部分に位置する極板４，５のエキスパンド格子２に対する活物質３より薄く充填されている。
【００１３】
このような鉛蓄電池では、極板群７の積層方向の端部に位置する極板５のエキスパンド格子２におけるノード部１の厚さを、極板群７のその他の部分に位置する極板４，５のエキスパンド格子２におけるノード部１の厚さより小とし、該極板群７の積層方向の端部に位置する極板５のエキスパンド格子２に対する活物質３を、極板群７のその他の部分に位置する極板４，５のエキスパンド格子２に対する活物質３より薄く充填しているので、極板群７の積層方向の端部に位置する極板５の活物質充填量が減り、活物質利用率を向上させることができる。
【００１４】
このような鉛蓄電池の製造は、次のようにして行う。即ち、極板群７の積層方向の端部に位置する極板５のエキスパンド格子２を、活物質３を充填する前にプレスしてそのノード部１の厚さを、極板群７のその他の部分に位置する極板４，５のエキスパンド格子２におけるノード部１の厚さより小とする。
【００１５】
該極板群７の積層方向の端部に位置する極板５のエキスパンド格子２に対する活物質３を、極板群７のその他の部分に位置する極板４，５のエキスパンド格子２に対する活物質３より薄く充填する。
【００１６】
これらの極板４，５よりなる極板群７を図示しない電槽内に電解液と共に収容する。
【００１７】
このような鉛蓄電池の製造方法では、極板群７の積層方向の端部に位置する極板５のエキスパンド格子２を、活物質３の充填工程の前で段替えを行い、プレスしてノード部１を現状より薄くして、活物質３の充填量を減らし、充填後の極板５を薄くして極板群７の積層方向の端部に位置させるので、活物質の利用率のよい極板５を容易に製造して鉛蓄電池を製造することができる。
【００１８】
【発明の効果】
本発明に係る鉛蓄電池では、極板群の積層方向の端部に位置する極板のエキスパンド格子におけるノード部の厚さを、極板群のその他の部分に位置する極板のエキスパンド格子におけるノード部の厚さより小とし、該極板群の積層方向の端部に位置する極板のエキスパンド格子に対する活物質を、極板群のその他の部分に位置する極板のエキスパンド格子に対する活物質より薄く充填しているので、極板群の積層方向の端部に位置する極板の活物質充填量が減り、活物質利用率を向上させることができる。
【００１９】
本発明に係る鉛蓄電池の製造方法では、極板群の積層方向の端部に位置する極板のエキスパンド格子を、活物質の充填工程の前で段替えを行い、プレスしてノード部を現状より薄くして、活物質の充填量を減らし、充填後の極板を薄くして極板群の積層方向の端部に位置させるので、活物質の利用率のよい極板を容易に製造して鉛蓄電池を製造することができる。
【図面の簡単な説明】
【図１】（Ａ）（Ｂ）は本発明に係る鉛蓄電池の実施の形態の一例で用いるエキスパンド格子の正面図及び縦断面図である。
【図２】本例の鉛蓄電池の実施の形態の一例で用いる極板群の概略構成を示す側面図である。
【図３】（Ａ）（Ｂ）は従来の鉛蓄電池で用いているエキスパンド格子の正面図及び縦断面図である。
【図４】従来の鉛蓄電池で用いる極板群の概略構成を示す側面図である。
【符号の説明】
１  ノード部
２  エキスパンド格子
３  活物質
４  正極板
５  負極板
６  セパレータ
７  極板群
【図１】
0003709841.tif 000002
【図２】
0003709841.tif 000003
【図３】
0003709841.tif 000004
【図４】
0003709841.tif 000005